(57)【特許請求の範囲】
【請求項１】
上面が前方に向かって実質的に上り勾配に形成されたベース盤と、該ベース盤上に重ねられかつ一体的に結合されたトップマットとを有し、
前記ベース盤は、半硬質の合成樹脂発泡体からなり、
前記トップマットは、上下２枚の可撓性気密シート間に多数の連繋糸が渡されることによって上記両気密シートの対向面間に所定高さの規制空間を形成するものとなされた扁平袋体からなり、該扁平袋体内に圧縮空気が充填されて高反発弾性が付与されていることを特徴とする体操用踏切板。
【請求項２】
前記トップマットは、分離自在な結合手段を介してベース盤に対して着脱自在に結合されている請求項１に記載の体操用踏切板。
【請求項３】
前記トップマットは、前記ベース盤に対する結合位置を前後方向に変更可能なものとなされている請求項２に記載の体操用踏切板。
【請求項４】
前記結合手段が、雌雄１対をなす面ファスナーからなる請求項２または３に記載の体操用踏切板。
【請求項５】
前記ベース盤は、発泡倍率５〜２０倍、２５％圧縮硬さ６〜３０Ｎ／ｃｍ２のエチレンビニルアセテート樹脂発泡体からなる請求項１〜４のいずれか１項に記載の体操用踏切板。
【請求項６】
前記トップマットは、見掛け厚さが３０〜１５０ｍｍである請求項１〜５のいずれか１項に記載の体操用踏切板。
【請求項７】
前記トップマットは、圧縮空気圧が１０〜４２ｋＰａに設定されたものである請求項１〜６のいずれか１項に記載の体操用踏切板。
【発明の詳細な説明】
【技術分野】
【０００１】
本発明は、跳び箱、跳馬等の跳躍体操演技の練習用あるいは競技用に使用される体操用踏切板に関する。
【０００２】
なお、本明細書において、「前」および「後」の用語は、踏切板に向って助走し跳躍するジムナストの走行・跳躍方向を基準として言うものとする。
【背景技術】
【０００３】
従来、この種の踏切板としては、下記特許文献１〜２に示されるように、敷板ないしベース板の基端部と踏板ないし上板の基端部とが連結固定され、かつ前記敷板と踏板との間に板ばねやコイルばね、あるいは発泡合成樹脂等の弾性体が介装されたものが広く一般的に使用されている。このような踏切板は、上面が傾斜した踏板のやや前端部寄りの位置に競技者が両足を揃えて飛び乗ることにより、板ばね等の弾性体の弾性変形により競技者に対する押し上げ方向の力を蓄積し、跳躍を強力に補助するものである。
【０００４】
一方、この種の踏切板は、幼児や児童を対象にした主として練習用のものから、ジュニア選手から成人ジムナストを対象にした一般競技用まで、広く使用されており、使用対象者や使用目的に応じて種々の反発弾性および衝撃吸収性を有するものであることが求められる。もし、子ども等の比較的体重の軽い者や初心者が堅めのものを使用しても十分な反発力を得ることができないし、逆に成人等の比較的体重の重い者や熟練選手が柔らか過ぎるものを使用しても十分な反発力を得ることができない。
【０００５】
そこで、従来品では、練習場や競技場において使用者に適した踏切板を提供するために、それぞれに応じた種々の反発弾性を有する複数種類の踏切板を用意する必要があった。もとより、このような各種の踏切板を製造し準備することは、製品のコストアップの要因になるのはもとより、収納保管場所を大きく占める点でも不利であった。更には、反発弾性の微妙な調整も極めて困難なものであった。のみならず、殊に幼児や学童の練習用としては、上面に硬質の踏板が浮き上がった状態で存在するため、誤って負傷するおそれも大きく、安全性の面でも問題があるものであった。
【先行技術文献】
【特許文献】
【０００６】
【特許文献１】特開平８−１５５０５１号公報
【特許文献２】特開２００１−８７４１２号公報
【発明の概要】
【発明が解決しようとする課題】
【０００７】
本発明は、上記のような背景技術に鑑み、卓越した使用安全性を有して特に練習用に適し、また幼児から成人ジムナストまでの幅広い使用者を対象として最適の反発弾性と衝撃吸収性を良好な調和のものとに得られるように調整および微調整が容易にでき、ひいては高い汎用性を有し、しかも比較的廉価に提供できると共に、耐久性に優れた斬新な構成の体操用踏切板を提供することを目的とする。
【課題を解決するための手段】
【０００８】
本発明は、上記の目的を達成するための手段として、下記［１］〜［７］項に記載の構成を提示する。
【０００９】
［１］上面が前方に向かって実質的に上り勾配に形成されたベース盤と、該ベース盤上に重ねられかつ一体的に結合されたトップマットとを有し、
前記ベース盤は、半硬質の合成樹脂発泡体からなり、
前記トップマットは、上下２枚の可撓性気密シート間に多数の連繋糸が渡されることによって上記両気密シートの対向面間に所定高さの規制空間を形成するものとなされた扁平袋体からなり、該扁平袋体内に圧縮空気が充填されて高反発弾性が付与されていることを特徴とする体操用踏切板。
【００１０】
［２］前記トップマットは、分離自在な結合手段を介してベース盤に対して着脱自在に結合されている前項［１］に記載の体操用踏切板。
【００１１】
［３］前記トップマットは、前記ベース盤に対する結合位置を前後方向に変更可能なものとなされている前項［２］に記載の体操用踏切板。
【００１２】
［４］前記結合手段が、雌雄１対をなす面ファスナーからなる前項［２］または［３］に記載の体操用踏切板。
【００１３】
［５］前記ベース盤は、発泡倍率５〜２０倍、２５％圧縮硬さ６〜３０Ｎ／ｃｍ２のエチレンビニルアセテート樹脂発泡体からなる前項［１］〜［４］のいずれか１項に記載の体操用踏切板。
【００１４】
［６］前記トップマットは、見掛け厚さが３０〜１５０ｍｍである前項［１］〜［５］のいずれか１項に記載の体操用踏切板。
【００１５】
［７］前記トップマットは、圧縮空気圧が１０〜４２ｋＰａに設定されたものである前項［１］〜［６］のいずれか１項に記載の体操用踏切板。
【発明の効果】
【００１６】
前記［１］項に係る踏切板にあっては、低発泡合成樹脂からなる半硬質のベース盤と、その上に重ねて設けられたエアマットタイプのトップマットとの組合せからなるものであるから、いずれも安全な素材で構成されたものであり、外部に堅い木材部材とか金属部材の露出がない。従って、高度の安全性を有し、殊に幼児や学童の練習用に最適である。また、低発泡合成樹脂からなる半硬質のベース盤によって良好な敷設安定性を確保しうると共に、トップマットの弾性限界を超えるような上からの強い衝撃を受けたような場合にも、ベース盤が衝撃吸収性を発現することで底突き感を生じさせることがなく、一層高い安全性を確保しうる。一方、上面側のトップマットによって良好な反発弾性を発現するので、反発弾性と衝撃吸収性の両機能の調和した、愈々跳躍補助特性および底突き感のない使用感に優れた踏切板を提供しうる。かつ、上記トップマットの内部の空気圧を調整することで、その保有する反発弾性を自在に変更しかつ微調整することができるので、使用者の体重や脚力、更には技能の程度に応じて最適の反発力を保有させることができる。ひいては、幼児から成人競技者まで広い適用範囲を有し汎用性に優れると共に、反発弾性の異なる多数種類の踏切板を個別に製作し準備する必要がないので、生産性も良く、製造コスト及び設備コストのいずれの面でも大幅なコストダウンをはかり得る。
【００１７】
また、主として反発弾性力を担うトップマットが、上下２枚の可撓性気密シート間を多数の連繋糸でつないで内部に所定高さの規制空間を有するものとなされた扁平袋体に、圧縮空気を充填することで所要の反発弾性を付与したものとなされていることにより、反発弾性力に優れるのはもとより、ジムナストが上面を強く踏み込んだときにその足裏を面で受け止めて安定した跳躍を可能にする。即ち、跳躍安定性に優れる。しかも、空気圧による反発力を利用するものであることにより、繰返し跳躍しても使用者に与える疲労度が少なく、膝や足首に与える負担も少ないので、練習量を増やすことができる。従って、空中に高く安定姿勢で飛び上がることができることも相俟って、空中演技の技術習得を行うための練習用の踏切板として好適である。
【００１８】
また、金属や木材によるばねを利用した従来の踏切板のように、繰り返し使用による材質疲労や経時劣化による反発特性の低下のおそれがなく、長期に亘って安定した反発弾性を維持でき耐久性に優れる。
【００１９】
更には、全体として充分に軽量であり、持ち運びや取扱いの点で有利であるし、トップマットの部分は空気を抜くことによってシート状に扁平化しうるので、収納保管上も有利である。
【００２０】
また、前記［２］項に記載のようにトップマットをベース盤に対して着脱自在なものとすることにより、トップマットを単独でホッピングマットとして使用し、縄跳び、タンブリング等の練習用に供することができる。また、トップマットの裏面側に圧縮空気の給排気のための逆止弁付き給排気口を設けたものとすることが可能になるので、トップマットの上面や側面に給排気口が露出せず、外観体裁の向上、安全性の向上にも資することができる。
【００２１】
また、前記［３］項のように、ベース盤に対するトップマットの結合位置を前後方向に変更可能なものとする場合には、トップマットをベース盤に対してその後方に大きくずらして取り付けることにより、主として幼児や学童のバク転練習、即ち後方転回練習のための安全な傾斜練習器具としても好適使用しうる。
【００２２】
また、前記［４］項のように、分離自在な結合手段として面ファスナーを採用することにより、その柔軟性によって一層高い安全性を担保しうると共に、十分に強固な結合力を得ることができ、しかもトップマットの着脱操作も行い易い。
【００２３】
また、前記［５］項に記載のように、ベース盤として、発泡倍率５〜２０倍、圧縮硬さ６〜３０Ｎ／ｃｍ２のエチレンビニルアセテート樹脂発泡体を用いることにより、前述のような良好な敷設安定性の確保、安全性の確保、底突き感を生じさせない良好な使用感の確保等の諸効果を一層良好に達成しうる。
【００２４】
更には、前記［６］項及び［７］項に記載のように、トップマットの厚さを３０〜１５０ｍｍの範囲に、またその内部充填圧縮空気の圧力を１０〜４２ｋＰａの範囲に設定することにより、幼児から成人ジムナストに至るまで、各使用者の体重や技能レベルに応じた反発弾性と衝撃吸収性を有し、しかもそれらが良好に調和した踏切板を得ることができる。
【図面の簡単な説明】
【００２５】
【図１】本発明の実施例に係る踏切板を、トップシートの一部を切欠いて示した斜視図である。
【図２】図１のII−II線の断面図である。
【図３】図１の踏切板のベース盤とトップマットとを分離して示した斜視図である。
【図４】トップマットをずらして使用するときの使用状態の一例を示す側面図である。
【図５】本発明の他の実施例に係る踏切板の縦断面図である。
【発明を実施するための形態】
【００２６】
以下、本発明の好ましい実施形態について、図面を参照しながら説明する。
【００２７】
図１〜図３に示す本発明の好適かつ基本的な実施に係る踏切板（Ａ）において、（１）はベース盤を、（２）はその上に重ねて取付けられたトップマットを示す。
【００２８】
ベース盤（１）は、半硬質の発泡合成樹脂の低発泡体からなり、概ね長さ５００〜１０００ｍｍ、幅５００〜７００ｍｍ程度の大きさに形成される。かつ上面は後端から前端に至るに従って向って５〜１０度、好ましくは７〜９度の上り勾配をもった傾斜面（１ａ）に形成され、前端面の高さ（ｈ）が長さ（Ｌ）に応じて８０〜１６０ｍｍの範囲に設定されている。
【００２９】
このベース盤（１）の材料は、適度の弾力性と敷設安定性及び軽量性が求められることから、半硬質の低発泡合成樹脂であることを必要とするが、その具体的な材質については特に限定されるものではない。しかしながら、材料コスト、耐久性、物性、重さ等の諸点に鑑み、エチレンビニルアセテート樹脂（ＥＶＡ）の低発泡体を用いることが推奨される。該ＥＶＡ低発泡体の中でも、特に発泡倍率が５〜２０倍、好ましくは６〜１５倍、更に好ましくは７〜１０倍、２５％圧縮硬さ（ＪＩＳ  Ｋ６７６７）が６〜３０Ｎ／ｃｍ２、好ましくは１０〜２５Ｎ／ｃｍ２、更に好ましくは１５〜２０Ｎ／ｃｍ２のものを用いることが望ましい。更には、みかけ密度（ＪＩＳ  Ｋ６７６７）が０．１０〜０．２０ｇ／ｃｍ３、引張強さ（ＪＩＳ  Ｋ６７６７）が１００〜１７０Ｎ／ｃｍ２、伸び（ＪＩＳ  Ｋ６７６７）が９０〜２００％の物性値を有するものを好適に選択使用することができる。
【００３０】
一方、トップマット（２）は、所要厚さの平坦偏平状のエアマットとして構成されたものである。具体的には、上下２枚の可撓性気密シート（２１）（２２）間に多数の連繋糸（２３）が渡されることによって上記両気密シート（２１）（２２）間の対向面間に所定高さの規制空間（２４）を形成するものとなされた扁平袋体（２０）からなるものである。該扁平袋体（２０）は、更に詳しくは２枚の織布間に所定長さの連繋糸を往復させるようにして立体織布を織成したのちこの立体織布の両外側面にエチレンビニルアセテート樹脂組成物等の気密加工材料を塗工含浸させ、あるいはヒートラミネーションにより被覆して気密性を付与し、この気密素材をもって扁平袋状に製袋加工したものである。
【００３１】
トップマット（２）は、下面隅部に注入方向のみに空気流通を許容する逆上弁を内蔵した給排気口（２５）（図３参照）を有する。そして、この給排気口（２５）にエアポンプを接続して圧力ゲージによる指定設定圧になるように前記規制空間（２４）内に圧縮空気を注入充填することにより、上記扁平袋体が緊張膨張状態になるように膨らませられ、所定の高反発弾性が付与されてなるものである。
【００３２】
ここに、注入充填される空気圧によってトップマット（２）の保有する弾性反発力が決定される。この圧縮空気圧の好ましい範囲は１０〜４２ｋＰａ（１．４５〜６．０９ｐｓｉ）であり、推奨される標準値としての指標を示せば下記のとおりである。
【００３３】
幼児用          １０．３〜１５．２ｋＰａ
小学生用        １５．２〜２２．１ｋＰａ
女子ジュニア用  ２０．７〜２７．６ｋＰａ
男子ジュニア用  ２０．７〜３４．５ｋＰａ
成人競技者用    ３０．３〜４１．４ｋＰａ
【００３４】
また、膨張状態におけるトップマット（２）の長さ及び幅はベース盤（１）の大きさにほぼ対応するものであり、見かけ厚さ（ｔ）は３０〜１５０ｍｍ、好ましくは５０〜１００ｍｍの範囲に形成される。更に、トップマット（２）の見かけ厚さは、後端部が後端に至るに従って薄くなるように形成しても良い。また、特に幼児用ないし学童用踏切板において、トップマット（２）の後端の高さが高すぎて足を引掛けるおそれが懸念される場合には、トップマット（２）の後端に延長状に例えばベース盤（１）と同等の素材からなる発砲合成樹脂製の上面が勾配斜面に形成された小型の斜板を、ファスナー等の結合手段を用いて着脱可能に取付けるものとしても良い。
【００３５】
ベース盤（１）とトップマット（２）の結合は、ジムナストがトップマット（２）上に助走時の勢いを伴って強く踏み込みながら飛び乗っても相対的なずれを起こすことがないように、十分強固に一体的に結合されなければならない。このための結合手段としては、接着剤による一体結合によることも排除されるものではないが、好ましい結合手段として図示実施例では雌雄１対をなすテープ状の面ファスナー（３ａ）（３ｂ）による結合手段（３）が採用され、左右に２列配置されている。この面ファスナーを採用することで、トップマット（２）はベース盤（１）に対して取り外し自在、つまり着脱自在なものとなされている。これにより図３に示すように給排気口（２５）をトップマット（２）の裏面側の一隅部に設けつつも、トップマット（２）を取り外して給排気口（２５）をエアポンプに接続することを可能にしている。つまり、トップマット（２）の外面に給排気口（２５）が露出することを回避し、ひいては踏切板の使用中に競技者等が給排気口（２５）に直接触れるのを回避して安全性を高め、かつ外観体裁上も好ましいものにすると共に、トップマット（２）を取外してそれのみを床面に敷くことにより、垂直な跳びはね訓練や縄跳び練習等のためのホッピングマットとして単独でも使用できるものとしている。
【００３６】
上記の踏切板（Ａ）は、跳び箱とか跳馬の後方に隣接配置して使用されるものであり、助走してくるジムナストがトップマット（２）の前方部位上に両足でとび乗ることにより、トップマット（２）の受圧部分が弾性変形し、これに伴う内部の圧縮空気の移動偏在による復元力で大きな反力が与えられ、ジムナストの跳躍を強力に補助するものである。
【００３７】
従って、反発弾性力は、主としてトップマット（２）によって与えられ、ベース盤（１）は床面上での不本意な移動防止、つまり敷設安定性の確保とともに、トップマット（２）を介して伝わる局部衝撃を弾性的に受け止めて、ジムナストに底突き感を与えることがないようにも機能する。
【００３８】
また、上記の踏切板（Ａ）は、図４に一例を示すように、トップマット（２）をベース盤（１）の後方に所定距離ずらして組付けることにより、傾斜面を有する体操用練習用具として、主として幼児や学童らの後転練習用にも好適使用される。
【００３９】
図５には他の実施形態を示す。
【００４０】
この実施形態では、ベース盤（１１）の上面が、後半部位のみ傾斜面（１１ａ）に形成され、前半部位が水平面（１１ｂ）に形成されている。そして、これに伴って、トップマット（２）が上記傾斜面（１１ａ）と水平面（１１ｂ）に沿って側面視く字状に屈折したものとなされている。かつ、トップマット（２）の上面に、カーペット（１２）が敷設され、扁平袋体（２０）の表面を保護するとともに、使用者が素足で使用する場合にも足裏に対して良好な感触を与え得るものとなされている。
【００４１】
このようにトップマット（２）の前半部位に水平面（１１６）を有することは、この部分に競技者が足をつくことで、前方への高くて安定した跳躍を一層行い易いものとなしうる点で好適である。
【符号の説明】
【００４２】
Ａ・・・・・踏切板
１、１１・・ベース盤
１ａ・・・・傾斜面
２・・・・・トップマット
２１・・・・上面気密シート
２２・・・・下面気密シート
２３・・・・連繋糸
２４・・・・規制空間
２５・・・・給排気口
【図１】
0005678393.tif 000002
【図２】
0005678393.tif 000003
【図３】
0005678393.tif 000004
【図４】
0005678393.tif 000005
【図５】
0005678393.tif 000006